(57)【要約】【課題】鉢を歩道に設置することなく植物を栽培し、歩道が殺風景になるのを解消することにある。【解決手段】タイル本体７と、タイル本体７の表面に設けられ、植花（植物）を埋設するための植物埋設凹部４とを備えており、植物埋設凹部４には貫通孔５が設けられている。【選択図】      図２
2008005728.tif 000002
【特許請求の範囲】
【請求項１】
タイル本体と、
前記タイル本体の表面に設けられ、植物を埋設するための植物埋設部とを備え、
前記植物埋設部には貫通孔が設けられている、
植栽タイル。
【請求項２】
前記タイル本体は前記植物埋設部が設けられている部分に対応する部分に補強部を有する、請求項１に記載の植栽タイル。
【請求項３】
前記補強部は前記タイル本体の前記植物埋設部が配置されている部分の裏側に配置されている、請求項１又は２に記載の植栽タイル。
【請求項４】
前記貫通孔は前記植物埋設部の底部に配置されている、請求項１から３のいずれかに記載の植栽タイル。
【請求項５】
前記植物埋設部は凹部である、請求項１から４のいずれかに記載の植栽タイル。
【請求項６】
前記植物埋設部は円形状の凹部である、請求項５に記載の植栽タイル。
【請求項７】
前記植物埋設部は曲線状の凹部である、請求項５に記載の植栽タイル。
【請求項８】
前記植物埋設部は環状の凸部である、請求項１から４のいずれかに記載の植栽タイル。
【発明の詳細な説明】
【技術分野】
【０００１】
本発明は、植栽タイル、特に、歩道等に敷設される植栽タイルに関する。
【背景技術】
【０００２】
歩道等には幾何学的な形状（例えば正方形や長方形）のタイルが敷設されている。タイルが敷設された歩道には殺風景であるために、植物などが栽培されている鉢などが例えば１直線状に整列されている。
【特許文献１】特開２００５−３４８６３１号公報
【発明の開示】
【発明が解決しようとする課題】
【０００３】
このような歩道では、植物をタイル上で栽培することはできず、植物等を設置するために鉢が必要である。このために、コストが高くなっている。また、植物が鉢によって栽培されているために、通行人などが鉢に接触すると鉢が動かされる。このとき、植物の列が乱される。
【０００４】
本発明の課題は、鉢を歩道に設置することなく植物を栽培し、歩道が殺風景になるのを解消することにある。また、植物の列が乱されにくくすることにある。
【課題を解決するための手段】
【０００５】
請求項１に係る植栽タイルは、タイル本体と、タイル本体の表面に設けられ、植物を埋設するための植物埋設部とを備えており、植物埋設部には貫通孔が設けられている。
この植栽タイルでは、植物埋設するための植物埋設部に植物が埋設され、植栽タイルが歩道に敷設される。この植栽タイルの植物埋設部には、貫通孔が設けられており、水や空気を排出することができる。このために、植物を栽培しやすくなる。また、鉢を歩道に設置することなく植物を栽培することができ、歩道が殺風景になるのを解消することができる。また、植物を植栽タイルで栽培しているために植物の列が乱されにくくなる。
【０００６】
請求項２に係る植栽タイルは、請求項１に記載の植栽タイルであって、貫通孔は植物埋設部の底部に配置されている。
ここでは、水が排出しやすくなる。
【０００７】
請求項３に係る植栽タイルは、請求項１または２に記載の植栽タイルであって、タイル本体は植物埋設部が設けられている部分の近傍に補強部を有する。
ここでは、補強部が配置されているために、植物埋設部をタイル本体に形成した場合に植物埋設部を設けた部分に対応する部分（例えば、植物埋設部が設けられている部分の裏側や、植物埋設部の周囲）に補強部が形成されているためにこの部分の近傍の強度が低下するのを防止できる。
【０００８】
請求項４に係る植栽タイルは、請求項１から３のいずれかに記載の植栽タイルであって、補強部はタイル本体の植物埋設部が配置されている部分の裏側に配置されている。
ここでは、補強部によって人の歩行などが妨げられるのを防止できる。
【０００９】
請求項５に係る植栽タイルは、請求項１から４のいずれかに記載の植栽タイルであって、植物埋設部は凹部である。
ここでは、植物埋設部が凹部であるために植物の設置が通行などの妨げになりにくくなる。
【００１０】
請求項６に係る植栽タイルは、請求項５に記載の植栽タイルであって、植物埋設部は円形状の凹部である。
ここでは、植物埋設部が円形状であるために植物埋設部を形成しやすくなる。
【００１１】
請求項７に係る植栽タイルは、請求項５に記載の植栽タイルであって、植物埋設部は曲線状の凹部である。
請求項８に係る植栽タイルは、請求項１から４のいずれかに記載の植栽タイルであって、植物埋設部は環状の凸部である。
ここで、環状とは、円環状だけではなく、四角形状や他の形状を含む。
【発明の効果】
【００１２】
本発明では、鉢を歩道に設置することなく植物を栽培し、歩道が殺風景になるのを解消することができる。また、植物の列が乱されにくくすることができる。
【発明を実施するための最良の形態】
【００１３】
１．構成
図１に本発明に係る植栽タイル３が配置された歩道を示す。この歩道にはガードレール１と、歩道タイル６と、本発明に係る植栽タイル３とが配置されている。
【００１４】
ガードレール１は、車が歩道に進入するのを防止するためのものであって、歩道と車道の境に配置されている。また、ガードレール１は歩道に沿って配置されている。
歩道タイル６は、歩道に敷き詰められた部材であって、正方形状の部材である。また、歩道タイル６は、薄い板状の部材であって、コンクリート等で形成されている。
【００１５】
植栽タイル３は、歩道の最も車道側に配置される部材であって、タイル本体７と、植物埋設凹部４と、植花２とを備えている。
タイル本体７は、正方形状の部材であって、板状の部材である。また、タイル本体７は、植物埋設凹部４が配置されている部分の裏側に補強部８が配置されており、コンクリートなどによって形成されている。
【００１６】
植物埋設凹部４は、円形状の凹部であって、タイル本体７の上側に配置されている。植物埋設凹部４の底には水や空気を排出可能な貫通孔５が配置されている。この貫通孔５は、補強部８を貫通する孔であって、径の小さな円形の孔である。
【００１７】
植花２は、植物埋設凹部４に配置されており、芝生である。
２．動作
この植栽タイル３を歩道に配置する場合には、植物埋設凹部４に植花２を配置し、植花２が車道側になるように歩道に配置する。
【００１８】
ここでは、歩道に鉢などを設置することなく植物を配置することができ、歩道が殺風景になるのを防止できる。また、補強部８が設けられているために、植物埋設凹部４によって植栽タイル３の強度が下がるのを防止できる。さらに、貫通孔５が植物埋設凹部４の底に配置されているために、空気や水を非出することができる。従って、植物埋設凹部４内の空気を換気することができ、気温の高い日であっても植物埋設凹部５内の温度が上昇しすぎるのを防止できる。さらに、雨量の多い日であっても水が溜まりすぎるのを防止できる。植物埋設部３が植栽タイル３に設けられているために植物の列が乱されにくくなる。そして、植栽タイル３を連続的に設置することで、歩道の端に植物のラインを形成することができ、タイルと自然とが一体となった自然環境を創造することができる。
【００１９】
３．他の実施形態
（ａ）上記実施形態では、植物埋設凹部４の形状が円形の場合について説明したが、本発明はこれに限られずに、他の形状、例えば曲線状、直線状、ハートやクローバなどのトランプ柄、ロゴ、社名などであっても良い。具体例を図４に示す。この図４に記載の植栽タイル１３の植物埋設凹部１４は、曲線状の凹部であって、所定の幅の凹部である。この場合には、植物埋設凹部１４の底に２つの貫通孔１５を設けており、排水及び換気をすることができる。
【００２０】
（ｂ）上記実施形態では、植花２が芝生である場合について説明したが、本発明はこれに限られずに、クローバや玉竜等の他の植物であっても良い。
（ｃ）さらに、上記実施形態では、歩道の車道側に配置する場合について説明したが、本発明はこれに限られずに、他の場所、例えば歩道の真ん中や、建築物側などに配置しても良い。
【００２１】
（ｄ）上記実施形態では、植物埋設凹部４の底部分に貫通孔５を設けたが、本発明はこれに限られずに、植物埋設凹部４の側部に設けることもできる。この場合には、貫通孔５を設ける位置によって適度な水を植物埋設凹部４内に溜めておくことができる。
【００２２】
（ｅ）上記実施形態では、凹状の植物埋設部３について説明したが、本発明はこれに限られずに、植物埋設部３は環状の凸部によって形成されていても良い。例えば、図５に示すようにタイル本体２７から円環状に凸部２６を設け、その内周側で植物を栽培するようにしても良い。なお、円環状の凸部２６の内周部に排水・通気用の貫通孔２８が設けられている。
【図面の簡単な説明】
【００２３】
【図１】本発明に係る植栽タイル３が配置された歩道を示す図。
【図２】本発明に係る植栽タイル３を示す図。
【図３】植栽タイル３の断面図（図２のＡＢ断面）。
【図４】他の実施形態に係る植栽タイル３を示す図。
【図５】他の実施形態に係る植栽タイル３を示す図。
【符号の説明】
【００２４】
１  ガードレール
２  植花（植物）
３  植栽タイル
４  植物埋設凹部
５  貫通孔
６  歩道タイル
７  タイル本体
８  補強部
１３  植栽タイル
１４  植物埋設凹部
１５  貫通孔
２６  円環状の凸部
２７  タイル本体
【図１】
2008005728.tif 000003
【図２】
2008005728.tif 000004
【図３】
2008005728.tif 000005
【図４】
2008005728.tif 000006
【図５】
2008005728.tif 000007